(57)【要約】 【課題】  プローブの種類に応じた最適回転数を容易に設定することができるとともに、プローブおよびハンドピースの小型化を図ることができ、さらに装置自体を簡易かつ安価にすることができる外科用切除装置を提供すること。【解決手段】  ブレードによって生体組織を切除可能なプローブと、前記プローブを着脱自在に取り付けるためのハンドピースと、前記ブレードの回転数の増減を操作するための操作手段５０，５１と、所定の第１の操作方法によって前記操作手段５０，５１から出力される第１の操作信号に基づいて、前記ブレードの回転数を設定可能な回転数設定手段６０と、前記第１の操作方法と異なる第２の操作方法によって前記操作手段５０，５１から出力される第２の操作信号に基づき、前記回転数設定手段６０で可変設定可能な回転数可変範囲を変更する可変範囲変更手段６０と、を具備したことを特徴とする。【選択図】    図３
2005211269.tif 000002
【特許請求の範囲】
【請求項１】
先端に設けたブレードによって生体組織を切除可能なプローブと、
前記プローブを着脱自在に取り付け、前記ブレードを回転駆動するための動力源を有するハンドピースと、
前記動力源によって回転する前記ブレードの回転数の増減を操作するための操作手段と、
所定の第１の操作方法によって前記操作手段から出力される第１の操作信号に基づいて、前記ブレードの回転数を設定可能な回転数設定手段と、
前記第１の操作方法と異なる第２の操作方法によって前記操作手段から出力される第２の操作信号、あるいは外部装置からの入力信号に基づき、前記回転数設定手段で可変設定可能な回転数可変範囲を変更する可変範囲変更手段と、
前記可変範囲変更手段によって変更可能な回転数可変範囲内で前記回転数設定手段により設定された設定結果に基づき、前記動力源に電力を供給する供給手段と、
を具備したことを特徴とする外科用切除装置。
【請求項２】
前記可変範囲変更手段で変更される前記回転数可変範囲の上限値を表示する上限回転数表示部を更に備えたことを特徴とする請求項１に記載の外科用切除装置。
【請求項３】
前記回転数設定手段で設定された設定回転数を表示する設定回転数表示部を更に備えたことを特徴とする請求項１または２に記載の外科用切除装置。
【請求項４】
前記操作手段は、前記ブレードの回転数を所定量増加するための増加スイッチを少なくとも備え、
前記回転数設定手段は、前記増加スイッチの第１の操作時間に基づく前記第１の操作方法により前記回転数の増加設定を行い、
前記可変範囲変更手段は、前記第１の操作時間より長い第２の操作時間に基づく前記増加スイッチの前記第２の操作方法により前記回転数可変範囲の変更を行うことを特徴とする請求項１乃至３のいずれか１つに記載の外科用切除装置。
【請求項５】
前記操作手段は、前記ブレードの回転数を所定量増加するための増加スイッチと、前記増加スイッチと併設された切替スイッチとを少なくとも備え、
前記回転数設定手段は、前記増加スイッチのみによる前記第１の操作方法により前記回転数の増加設定を行い、
前記可変範囲変更手段は、前記増加スイッチと前記切替スイッチとを組み合わせた前記第２の操作方法により前記回転数可変範囲の変更を行うことを特徴とする請求項１乃至３のいずれか１つに記載の外科用切除装置。
【請求項６】
前記可変範囲変更手段で変更される回転数可変範囲の状態に応じて、前記設定回転数表示部の表示形態を変更することを特徴とする請求項３乃至請求項５のいずれか１つに記載の外科用切除装置。
【発明の詳細な説明】
【技術分野】
【０００１】
本発明は、例えば、関節腔内の半月板、軟骨等の組織や、椎間板内の髄核組織等を体内において切除するための外科用切除装置に関するものである。
【背景技術】
【０００２】
近年、関節鏡等によって体内を観察しながら、関節腔内の半月板、軟骨等の組織や椎間板内の髄核組織等を体内において切除するための外科用の切除装置が使用されている。これら切除装置の中には、切除すべき部位を切断するためのブレードを有するプローブと、このプローブが交換可能に取り付けられるとともに、前記ブレードを回転させるためのモータを内蔵するハンドピースと、このハンドピースに電気的に接続されたコントロールユニットと、を備えたものがある。
ここで、上記プローブには、骨を研磨するためのものと、対象物を切除するためのものとの複数の種類があり、その種類によって、使用するブレードの最適な回転数が異なっている。
従来、そのような最適回転数をプローブごとに設定するために、各プローブ内に識別用の磁石を設け、ハンドピースに内蔵したリードスイッチによりその磁界を検知することによって、その磁界に応じてプローブの種類を識別し、ブレードの最適回転数を自動的に設定する切除装置が提案されている（例えば、特許文献１参照）。
【特許文献１】特表２０００−５０７８３９号公報
【発明の開示】
【発明が解決しようとする課題】
【０００３】
しかしながら、上記のような構成によると、磁石やリードスイッチなどの自動検出用の部材が必要となることから、プローブおよびハンドピースが大きくなるとともに、装置自体の構成が複雑になってしまう。さらに、それら部材によりコストが増大するという問題がある。
【０００４】
本発明は、このような問題を解決するためになされたもので、プローブの種類に応じたブレードの最適回転数を容易に設定することができるとともに、プローブおよびハンドピースの小型化を図ることができ、さらに装置自体を簡易かつ安価にすることができる外科用切除装置を提供することを目的とする。
【課題を解決するための手段】
【０００５】
上記課題を解決するために、本発明は以下の手段を提供する。
請求項１に係る発明は、先端に設けたブレードによって生体組織を切除可能なプローブと、前記プローブを着脱自在に取り付け、前記ブレードを回転駆動するための動力源を有するハンドピースと、前記動力源によって回転する前記ブレードの回転数の増減を操作するための操作手段と、所定の第１の操作方法によって前記操作手段から出力される第１の操作信号に基づいて、前記ブレードの回転数を設定可能な回転数設定手段と、前記第１の操作方法と異なる第２の操作方法によって前記操作手段から出力される第２の操作信号、あるいは外部装置からの入力信号に基づき、前記回転数設定手段で可変設定可能な回転数の可変範囲を変更する可変範囲変更手段と、前記可変範囲変更手段によって変更可能な回転数可変範囲内で前記回転数設定手段により設定された設定結果に基づき、前記動力源に電力を供給する供給手段と、を具備したことを特徴とする。
【０００６】
この発明に係る外科用切除装置によれば、操作者が第１の操作方法によって操作手段を操作すると、その操作手段から第１の操作信号が出力され、この第１の操作信号に基づいて、回転数設定手段によりブレードの回転数が設定される。一方、第２の操作方法によって操作手段を操作すると、その操作手段から第２の操作信号が出力され、この第２の操作信号に基づいて、または外部装置の入力信号に基づいて、可変範囲変更手段によりブレードの回転数の可変範囲が変更される。そして、供給手段によりハンドピースに設けられた動力源に電力が供給され、プローブの先端に設けられたブレードが回転する。
これにより、第２の操作方法によって操作手段を意図的に操作することにより、ブレードの回転数可変範囲が変更され、操作者の意図した最適回転数を容易に設定することができる。
そのため、磁石やリードスイッチなどの自動検出用の部材が不要となる効果がある。
【０００７】
請求項２に係る発明は、請求項１に記載の外科用切除装置において、前記可変範囲変更手段で変更される前記回転数可変範囲の上限値を表示する上限回転数表示部を更に備えたことを特徴とする。
【０００８】
この発明に係る外科用切除装置によれば、上限回転数表示部により回転数可変範囲の上限値を確認しながら、回転数の設定を行うことが可能となる。
そのため、プローブの種類に応じた適切な回転数を確実に設定することができる効果がある。
【０００９】
請求項３に係る発明は、請求項１または２に記載の外科用切除装置において、前記回転数設定手段で設定された設定回転数を表示する設定回転数表示部を更に備えたことを特徴とする。
この発明に係る外科用切除装置によれば、設定回転数表示部により設定回転数を確認しながら速やかに回転数を設定することができる効果がある。
【００１０】
請求項４に係る発明は、請求項１乃至３のいずれか１つに記載の外科用切除装置において、前記操作手段は、前記ブレードの回転数を所定量増加するための増加スイッチを少なくとも備え、前記回転数設定手段は、前記増加スイッチの第１の操作時間に基づく前記第１の操作方法により前記回転数の増加設定を行い、前記可変範囲変更手段は、前記第１の操作時間より長い第２の操作時間に基づく前記増加スイッチの前記第２の操作方法により前記回転数可変範囲の変更を行うことを特徴とする。
【００１１】
この発明に係る外科用切除装置によれば、増加スイッチを所定の時間操作すると、これを第１の操作時間として前記第１の操作信号が出力される。そして、この第１の操作信号に基づいて、回転数設定手段によりブレードの回転数が設定される。また、増加スイッチを前記所定の時間を超えて操作すると、これを第２の操作時間として前記第２の操作信号が出力される。この第２の操作信号に基づいて、可変範囲変更手段により前記回転数可変範囲が変更される。
これにより、操作者に回転数可変範囲の変更を意識させながらその変更操作を行わせることができる。
そのため、操作者は、ブレードの種類に応じた適切な回転数可変範囲の変更を確実に行うことができる効果がある。
【００１２】
請求項５に係る発明は、請求項１乃至３のいずれか１つに記載の外科用切除装置において、前記操作手段は、前記ブレードの回転数を所定量増加するための増加スイッチと、前記増加スイッチと併設された切替スイッチとを少なくとも備え、前記回転数設定手段は、前記増加スイッチのみによる前記第１の操作方法により前記回転数の増加設定を行い、前記可変範囲変更手段は、前記増加スイッチと前記切替スイッチとを組み合わせた前記第２の操作方法により前記回転数可変範囲の変更を行うことを特徴とする。
【００１３】
この発明に係る外科用切除装置によれば、増加スイッチのみを操作すると前記第１の操作信号が出力され、一方、増加スイッチと切替スイッチとを組み合わせて操作すると前記第２の操作信号が出力される。そして、これら信号に応じて、ブレードの回転数が設定され、または回転数可変範囲が変更される。
これにより、操作者に回転数可変範囲の変更を意識させながらその変更操作を行わせることができる。
そのため、操作者は、プローブの種類に応じた適切な回転数可変範囲の変更を迅速に行うことができる効果がある。
【００１４】
請求項６に係る発明は、請求項３乃至請求項５のいずれか１つに記載の外科用切除装置において、前記可変範囲変更手段で変更される回転数可変範囲の状態に応じて、前記設定回転数表示部の表示形態を変更することを特徴とする。
この発明に係る外科用切除装置によれば、回転数可変範囲の状態に応じて、前記設定回転数表示部の表示形態が変更される。
そのため、所定の回転数可変範囲について、操作者に注意を喚起することができる効果がある。
【発明の効果】
【００１５】
本発明によれば、プローブの種類に応じたブレードの最適回転数を容易かつ確実に設定することができる。また、磁石やリードスイッチなどの自動検出用の部材が不要となるため、プローブおよびハンドピースの小型化を図ることができ、さらに装置自体を簡易かつ安価にすることができる。
【発明を実施するための最良の形態】
【００１６】
（実施例１）
以下、本発明の第１実施例における外科用切除装置について、図面を参照して説明する。
図１に示すように、本実施例における外科用切除装置１は、関節鏡２とともに使用して患部を治療するものである。
最初に、外科用切除装置１とともに使用される関節鏡２について説明する。
関節鏡２は、関節腔内に挿入するための関節鏡挿入部４と、撮像素子を内蔵するカメラヘッド６とが、分岐部５および接眼部７を介して接続されたものである。関節鏡挿入部４は、膝部３に穿刺されたトラカール８を通して関節腔内に挿入されるようになっている。トラカール８には、吸水チューブ９を介して給水源１０が接続されており、この給水源１０から生理食塩水が関節腔内に順次流入され、これにより関節腔内の視野が確保され、廃物が除去されるようになっている。
【００１７】
分岐部５はライトガイドケーブル２０を介して光源装置２１に接続されており、関節鏡挿入部４の先端から患部に向けて光が照射されるようになっている。
また、カメラヘッド６は、ケーブル２２を介してビデオプロセッサ２３に接続されており、ビデオプロセッサ２３は、モニターケーブル２４を介してモニター装置２５に接続されている。これにより、カメラヘッド６からの画像信号がビデオプロセッサ２３を介してモニター装置２５に出力され、関節腔内の観察像がモニター装置２５に映し出されるようになっている。
【００１８】
次に、本発明に係る外科用切除装置１について説明する。
外科用切除装置１は、プローブ２６およびハンドピース本体２７を有するハンドピース１１と、電源であるコントロールユニット（供給手段）２８と、駆動スイッチとしてのフットスイッチ２９とを備えている。
プローブ２６は、図２に示すように、低速回転で使用され、患部を切除するためのカッター２６ａと、高速回転で使用され、患部周辺の骨を削るためのドリルバー２６ｂとを備え、いずれか一方がハンドピース本体２７に選択的かつ交換可能に取り付けられるようになっている。
【００１９】
また、プローブ２６は、管状に形成された外プローブ３３を備えており、その先端に開口部３４が形成され、後端にはジョイント部３１が設けられている。ジョイント部３１には、不図示の貫通孔が形成されており、この貫通孔を介して、先端にブレード３０を有し管状に形成された内プローブ３２が通されている。内プローブ３２は、ブレード３０を開口部３４から現出させた状態で、外プローブ３３内において回転可能な状態になっている。内プローブ３２の後端には、内プローブ３２の軸線と直交する方向に向けられた貫通路３５が形成されており、ブレード３０のすき間から吸引された液体、廃物をハンドピース本体２７に送り込むようになっている。ドリルバー２６ｂには、ジョイント部３１の近傍に赤色表示部３６が設けられており、カッター２６ａとの差異が容易に視認できるようになっている。
【００２０】
ハンドピース本体２７は、プローブ２６のジョイント部３１を受け入れてこれをロックする固定用ネジ３７と、プローブ２６が取り付けられたときに貫通路３５と連結させる連通路３８とを備えている。また、ハンドピース本体２７は、連通路３８の流量を調節するためのバルブレバー３９と、内プローブ３２を介してブレード３０を回転させるためのモータ（動力源）４４とを備えている。さらに、ハンドピース本体２７の固定用ネジ３７と反対側の基部には、図１に示す吸引チューブ４１の一端が取り付けられる口金部４０と、ケーブル４３およびモータ４４を接続するための接続部４２とが設けられている。そして、吸引チューブ４１の他端には、不図示の吸引装置が取り付けられ、ブレード３０のすき間から取り込まれた液体等が、内プローブ３２、連通路３８および吸引チューブ４１を経てこの吸引装置に吸引されるようになっている。さらに、ケーブル４３を介してモータ４４とコントロールユニット２８とが電気的に接続された状態になっている。
【００２１】
コントロールユニット２８は、図３（ａ）および（ｂ）に示すように、ハンドピースコネクタ５７を備えており、このハンドピースコネクタ５７に、図１に示すケーブル４３が接続されるようになっている。また、コントロールユニット２８は、ブレード３０の回転速度、すなわち単位時間あたりの回転数を設定するための回転数上昇スイッチ（操作手段、増加スイッチ）５０および回転数下降スイッチ（操作手段）５１と、これら各スイッチ５０，５１からの出力信号に基づいて設定回転数を設定する制御回路（回転数設定手段、可変範囲変更手段）６０とを備えている。さらに、制御回路６０の出力信号に応じて、設定回転数を数字によって表示する設定回転数表示部５２と、設定回転数をグラフによって表示する設定回転数表示ＬＥＤ５３とを備えている。回転数上昇スイッチ５０の縁には、赤色部５６が設けられている。
【００２２】
この赤色部５６は、図２に示すドリルバー２６ｂの赤色表示部３６と合わせて、各プローブ２６に応じた適切な回転数および上限値を設定するよう操作者に注意を喚起するためのものである。また、設定回転数表示ＬＥＤ５３は、設定回転数を直感的に認識できるようにするためのものであって、設定回転数表示部５２に対する補助的な表示である。
このような構成のもと、設定回転数表示部５２に表示された回転数が所望の回転数に到達するまで、回転数上昇スイッチ５０または回転数下降スイッチ５１のいずれかを、１秒以下（第１の操作時間）の時間間隔で間欠的に押圧することにより（第１の操作方法）、第１の出力信号が出力され、この第１の出力信号に基づいて、制御回路６０により所定の回転数が設定されるようになっている。
【００２３】
さらに、コントロールユニット２８は、設定可能回転数の下限値を表示する下限回転数表示部５４と、上限値を表示する上限回転数表示部５５とを備えている。これら下限回転数および上限回転数は、電源リセット時において、それぞれ例えば５００、６０００に設定され、図３（ａ）に示すように、両表示部５４，５５にそれぞれ「５００」および「６０００」と表示されるようになっている。そして、ブレード３０の回転数は、これら両表示部５４，５５に示された回転数の間、すなわち回転数可変範囲内においてのみ設定することができるようになっている。
さらに、回転数上昇スイッチ５０は１秒間以上（第２の操作時間）長押しすることによって（第２の操作方法）、上限値が変更される機能を備えている。すなわち、このように長押しされると、回転数上昇スイッチ５０から第２の出力信号が出力され、この第２の出力信号に基づいて、制御回路６０により上限回転数が１００００に変更されるとともに、図３（ｂ）に示すように、上限回転数表示部５５の表示が「１００００」と表示されるようになっている。このように、上限回転数が１００００に設定されているとき、設定回転数表示部５２に表示される設定回転数が点滅するようになっている。
なお、符号５８は電源スイッチ、符号５９は電源表示ＬＥＤを示したものである。
【００２４】
図４は、コントロールユニット２８のブロック図を示している。この図４に示すように、フットスイッチ２９から出力された信号は制御回路６０に送られるようになっている。また、制御回路６０には、回転数上昇スイッチ５０、回転数下降スイッチ５１、設定回転数表示部５２、設定回転数表示ＬＥＤ５３、下限回転数表示部５４および上限回転数表示部５５等を有する表示・入力回路６３が接続され、各種の入力及びフットスイッチ２９からの信号に応じた処理を行い、出力回路６２を制御するようになっている。この出力回路６２は、電源回路６１に接続されており、制御回路６０の制御に応じた電力をハンドピース本体２７に内蔵されたモータ４４に供給するようになっている。
【００２５】
また、フットスイッチ２９は、図１に示すように、ハンドピース本体２７に内蔵されたモータ４４を右回転させるための右ペダル２９ａと、左回転させるための左ペダル２９ｂとを備えている。そして、操作者がこれらペダル２９ａ，２９ｂを足で踏むことによって、設定回転数表示部５２に表示された設定回転数の速さで、モータ４４が回転し、これにより内プローブ３２を介して、開口部３４から現出されたブレード３０も回転するようになっている。
【００２６】
次に、このように構成された本実施例における外科用切除装置１の作用について説明する。
本実施例における外科用切除装置１を用いて処置を行う場合には、図１に示すように、関節鏡２を関節腔内に挿入し、患部をモニター装置２５に映しだす。そして、ハンドピース本体２７にドリルバー２６ｂを取り付け、後述するように所定の高速な回転数を設定する。この状態でフットスイッチ２９を踏み込んで、ブレード３０を高速回転させる。このブレード３０を押し付けるようにして、患部周辺の骨を削っていき、カッター２６ａを挿入するための貫通孔を設ける。次いで、ハンドピース本体２７からドリルバー２６ｂを取り外し、カッター２６ａを装着する。
【００２７】
そして、後述するようにカッター２６ａ用の所定の低速な回転数を設定する。カッター２６ａを装着した状態で、ハンドピース本体２７を把持し、前記貫通孔からカッター２６ａを挿入する。そして、モニター装置２５の画面を見ながら、ブレード３０を患部の近傍まで送り込み、切除すべき半月板、軟骨等を切除する。この間、給水源１０から生理食塩水が関節腔内に送られ、吸引装置を使って、ブレード３０のすき間からその生理食塩水を吸引することにより、生理食塩水は関節腔内で常時環流される。この環流作用により、関節腔内の廃物や血液等が逐次吸引装置によって吸引される。患部の切除が終わると、その他所定の処置を行い、治療が終了する。
【００２８】
本実施例における外科用切除装置１においては、以下のようにして、プローブ２６に応じた最適な回転数の設定が行われる。
コントロールユニット２８に電源を投入すると、図５に示すように、ステップ１において、設定回転数ｎが初期化される。すなわち、図３に示す電源スイッチ５８を押圧し電源をオンにすると、下限回転数表示部５４および上限回転数表示部５５にそれぞれ回転数「５００」、「６０００」が表示される。また、設定回転数表示部５２に表示される回転数は、前回電源をオフにしたときの設定値が６０００回転以下であれば、そのとき表示されていた回転数となり、前回設定値が６０００回転を超えていたときには６０００に戻される。
【００２９】
続いて、骨を削るためにドリルバー２６ｂが取り付けられる。このときには、ブレード３０を高速回転させるために、上限値である６０００を超えた例えば８０００回転に設定する必要がある。そこで、上限値を変更するために、回転数上昇スイッチ５０を１秒間以上押圧しつづける（ステップ２：Ｙｅｓ）。すると、回転数上昇スイッチ５０から第２の信号が出力され、この第２の信号に基づいて制御回路６０により上限値が６０００から１００００に切り換えられ、上限回転数表示部５５に「１００００」と表示される（ステップ８）。このとき、設定回転数表示部５２の表示が点滅し、操作者に高速回転設定時であるという注意を喚起する。
【００３０】
そして、これら各表示部５２，５３，５４，５５を見ながら、回転数上昇スイッチ５０を間欠的に（１秒以下の時間間隔で）押圧する（ステップ９）。すると、回転数上昇スイッチ５０から第１の信号が出力され、この第１の信号に基づいて演算処理装置によって回転数が設定され、設定回転数表示部５２および設定回転数表示ＬＥＤ５３にその回転数が表示される。そこで、設定回転数表示部５２の表示が「８０００」になるまで回転数上昇スイッチ５０の押圧操作を行う。そして、設定回転数表示部５２の表示が「８０００」になった状態でフットスイッチ２９を踏み込むと（ステップ１０：Ｙｅｓ）、８０００回転でブレード３０が回転する（ステップ１１）。一方、フットスイッチ２９を踏み込まない状態では（ステップ１０：Ｎｏ）ハンドピース１１はオフになる（ステップ１２）。
【００３１】
さらに、上記８０００回転で骨を削る作業が終了したら、電源をオフにしてからドリルバー２６ｂを取り外し、カッター２６ａを取り付けた後、再び電源をオンにする。このとき、前回の設定回転数表示部５２の表示が８０００であったから、電源投入直後の回転数は６０００にリセットされ、設定回転数表示部５２には「６０００」と表示される（ステップ２：Ｎｏ）。そして、内プローブ３２を低速回転（例えば３０００回転）させるために、各表示部５２，５３，５４，５５を見ながら、設定回転数表示部５２の表示が「３０００」になるまで回転数下降スイッチ５１を間欠的に（１秒以下の時間間隔で）押圧する（ステップ４）。そして、設定回転数表示部５２の表示が「３０００」になった状態で、フットスイッチ２９を踏み込むと（ステップ５：Ｙｅｓ）、上記と同様に、３０００回転でブレード３０が回転する（ステップ６）。一方、フットスイッチ２９を踏み込まない状態では（ステップ５：Ｎｏ）ハンドピース１１はオフになる（ステップ１２）。その後ステップ２に戻り同様の処理が繰り返される。
【００３２】
以上より、本実施例における外科用切除装置１によれば、回転数上昇スイッチ５０を通常操作よりも長く、すなわち１秒間以上長押しすることによって上限値を変更するようになっているため、操作者に上限値の変更を意識させながらその変更操作を行わせることができる。そのため、操作者の意図した最適な回転数を確実に設定することができるとともに、必要以上に大きな回転数が設定されるのを防止することができる。
また、カッター２６ａおよびドリルバー２６ｂをハンドピース本体２７に装着することにより自動的に各回転数を設定していたような従来の装置と比較して、自動認識のための各種部材が不要となることから、プローブ２６およびハンドピース本体２７を小型化することができる。それとともに、装置自体を簡易かつ安価にすることができる。
さらに、コントロールユニット２８における回転数の設定を、各表示部５２，５３，５４，５５を目視しながら行うことができるので、使用するプローブ２６に応じて、単純な操作により、操作者の意図した最適な回転数を確実に設定することができる。
また、上限値が６０００から１００００に切り換わると、設定回転数表示部５２の表示が点滅することから、操作者に高速回転設定時であるという注意を喚起することができる。
【００３３】
（実施例２）
図６（ａ）および（ｂ）は、本発明の第２の実施例を示したものである。
図６（ａ）および（ｂ）において、図３に記載の構成要素と同一部分については同一符号を付し、その説明を省略する。
この実施例と上記第１の実施例とは基本的構成は同一であり、以下の点において上述した実施例と相違した構成とするものである。すなわち、回転数上昇スイッチ５０の近傍に赤色部５６を有するシフトキー（切替スイッチ）６４が設けられており、上記実施例のような回転数上昇スイッチ５０の長押しの代わりに、シフトキー６４と回転数上昇スイッチ５０とを同時押しすることにより（第２の操作方法）、回転数上昇スイッチ５０およびシフトキー６４から第２の信号が出力され、回転数の上限値を変更するものである。
以上より、上記実施例と同様の効果を奏することができるだけでなく、より迅速に上限値を変更することができる。
【００３４】
（実施例３）
図７（ａ）および（ｂ）は、本発明の第３の実施例を示したものである。
本実施例において、コントロールユニット２８は、カッター２６ａが装着されていることを示すカッター表示ＬＥＤ６５と、ドリルバー２６ｂが装着されていることを示すドリルバー表示ＬＥＤ６６と、これらカッター表示ＬＥＤ６５およびドリルバー表示ＬＥＤ６６の表示を選択的に切り換えるとともに、それぞれの上限値を変更するブレード選択スイッチ（外部装置）６７とを備えている。そして、これらの両ＬＥＤ６５，６６およびブレード選択スイッチ６７は制御回路６０に電気的に接続されており、この制御回路６０によって各種の制御が行われるようになっている。
【００３５】
このような構成のもと、ドリルバー表示ＬＥＤ６６が点灯しているときに、ブレード選択スイッチ６７を押圧すると、図７（ａ）に示すように、ブレード選択スイッチ６７から信号が出力され、制御回路６０に入力される。そして、この入力信号に基づいて、制御回路６０により、上限値が１００００に変更され、上限回転数表示部５５に「１００００」と表示される。同時に、ドリルバー表示ＬＥＤ６６からカッター表示ＬＥＤ６５に点灯が切り換えられる。これにより、高速回転のための回転数が設定される。一方、カッター表示ＬＥＤ６５が点灯しているときに、ブレード選択スイッチ６７を押圧すると、図７（ａ）に示すように、ブレード選択スイッチ６７からの入力信号に基づいて制御回路６０により、上限値が６０００に変更され、上限回転数表示部５５に「６０００」と表示される。
【００３６】
図８は、これら一連の処理を表わしたフローチャートである。
本実施例においては、上記第１の実施例の図５に示すように、ステップ２において長押しされたか否かを判別する代わりに、ステップ２’において、ブレード選択スイッチ６７の押圧により、カッター表示ＬＥＤ６５がオンになっているか、またはドリルバー表示ＬＥＤ６６がオンになっているかを判別する。カッター表示ＬＥＤ６５がオンになっているときは（ステップ２’：ｃｕｔｔｔｅｒ  ＯＮ）、ステップ３に進み、またドリルバー表示ＬＥＤ６６がオンになっているときには（ステップ２´：ｂｕｒ  ＯＮ）、ステップ８に進み、上記第１の実施例と同様の処理を行う。
以上より、操作者は、これらカッター表示ＬＥＤ６５およびドリルバー表示ＬＥＤ６６を確認しながら、設定回転数の切り替えを行うことができる。
【００３７】
（実施例４）
図９は、本発明の第４の実施例を示したものである。
本実施例においては、上記第３の実施例のブレード選択スイッチ６７に代えて、またはそれと同時に、ハンドピース本体２７にブレード選択ボタン（外部装置）７６を備えたものである。このブレード選択ボタン７６は、ハンドピース本体２７の把持部２７ｂに形成された凹部２７ａ内に設けられている。この状態において、ブレード選択ボタン７６の上面は凹部２７ａ内に没した状態になっている。これは、処置中に不意に押圧されることによって誤動作が生じるのを防止するためである。
そして、凹部２７ａ内のブレード選択ボタン７６を指先で押圧することにより、上記第３の実施例と同様に、上限値が変更されるようになっている。
以上より、処置中にハンドピース本体２７を把持しながら、手元側で操作することができるため、より簡単に回転数を設定することができる。
【００３８】
（実施例５）
図１０（ａ），（ｂ）および図１１は、本発明の第５の実施例を示したものである。
図１０（ａ），（ｂ）および図１１において、図７（ａ），（ｂ）および図２に記載の構成要素と同一部分については同一符号を付し、その説明を省略する。
この実施例と上記第３の実施例とは基本的構成は同一であり、以下の点において上述した実施例と相違した構成とするものである。すなわち、コントロールユニット２８は、ブレード選択スイッチ６７の代わりに、コード検出器（外部装置）７０を備えており、このコード検出器７０が接続ケーブル７１を介して制御回路６０に接続されたものである。さらに、カッター２６ａおよびドリルバー２６ｂは、それぞれカッター用コード表示部７２およびドリルバー用コード表示部７３が設けられている。
【００３９】
このような構成のもと、ハンドピース１１にカッター２６ａまたはドリルバー２６ｂのいずれかを装着後、カッター用コード表示部７２またはドリルバー用コード表示部７３にコード検出器７０をあてがう。するとコード検出器７０によりコードが読み取られるとともに、対応する信号が出力され制御回路６０に入力される。この入力信号に基づいて、制御回路６０により上限値がそれぞれ変更される。
以上より、カッター２６ａおよびドリルバー２６ｂのいずれかを装着した状態で、コードにより識別することができるので、間違いがなく確実に上限値を変更することができる。
【００４０】
（実施例６）
図１２は、本発明の第６の実施例を示したものである。
本実施例においては、上記第５の実施例のコード検出器７０の代わりに、マイク（外部装置）７５が接続されたものである。このマイク７５は、前述した図４に示すコントロールユニット２８に、不図示の音声処理回路が組み込まれ、マイク７５を介して、使用されるプローブ２６の名前を音声により入力すると、制御回路６０に向けて音声に応じた信号が出力され、この信号が制御回路６０に入力される。この入力信号に基づいて、上記と同様、制御回路６０により上限値がそれぞれ変更される。
以上より、より簡単かつ確実に上限値を変更することができる。
【００４１】
なお、本発明の技術範囲は上記の実施例に限定されるものではなく、本発明の趣旨を逸脱しない範囲において、種々の変更を加えることが可能である。
【図面の簡単な説明】
【００４２】
【図１】本発明に係る外科用切除装置の第１の実施例を示す図であって、関節鏡を用いて処置を行っている様子を示す説明図である。
【図２】同実施例における外科用切除装置のハンドピースを示す概略構成図である。
【図３】同実施例における外科用切除装置のコントロールユニットを示す図であって、（ａ）は通常の上限値６０００が設定された状態、（ｂ）は上限値が変更された状態を示す正面図である。
【図４】同実施例における外科用切除装置のコントロールユニットを示すブロック図である。
【図５】同実施例における外科用切除装置の上限値が変更されるときの処理手順を示すフローチャートである。
【図６】本発明に係る外科用切除装置の第２の実施例の要部を示す図であって、（ａ）は通常の上限値６０００が設定された状態、（ｂ）は上限値が変更された状態を示す正面図である。
【図７】本発明に係る外科用切除装置の第３の実施例の要部を示す図であって、（ａ）は通常の上限値６０００が設定された状態、（ｂ）は上限値が変更された状態を示す正面図である。
【図８】同第３実施例における外科用切除装置の上限値が変更されるときの処理手順を示すフローチャートである。
【図９】本発明に係る外科用切除装置の第４の実施例の要部を示す説明図である。
【図１０】本発明に係る外科用切除装置の第５の実施例の要部を示す図であって、（ａ）は通常の上限値６０００が設定された状態、（ｂ）は上限値が変更された状態を示す正面図である。
【図１１】同第５実施例におけるハンドピースを示す概略構成図である。
【図１２】本発明に係る外科用切除装置の第６の実施例の要部を示す図であって、（ａ）は通常の上限値６０００が設定された状態、（ｂ）は上限値が変更された状態を示す正面図である。
【符号の説明】
【００４３】
１      外科用切除装置
１１    ハンドピース
２６    プローブ
２８    コントロールユニット（供給手段）
３０    ブレード
４４    動力源
５０    回転数上昇スイッチ（操作手段、増加スイッチ）
５１    回転数下降スイッチ（操作手段）
５２    設定回転数表示部
５５    上限回転数表示部
６０    制御回路（回転数設定手段、可変範囲変更手段）
６４    シフトキー（切替キー）
６７    ブレード選択スイッチ（外部装置）
７０    コード検出器（外部装置）
７５    マイク（外部装置）
７６    ブレード選択ボタン（外部装置）
【図１】
2005211269.tif 000003
【図２】
2005211269.tif 000004
【図３】
2005211269.tif 000005
【図４】
2005211269.tif 000006
【図５】
2005211269.tif 000007
【図６】
2005211269.tif 000008
【図７】
2005211269.tif 000009
【図８】
2005211269.tif 000010
【図９】
2005211269.tif 000011
【図１０】
2005211269.tif 000012
【図１１】
2005211269.tif 000013
【図１２】
2005211269.tif 000014